(57)【要約】      （修正有）【課題】例えば空間を仕切るパーティションとしても機能させることができる程度に、複数の椅子を安定良く積み重ねることができ、椅子として使用しない場合であっても有益な機能を有する椅子を提供する。【解決手段】本椅子は、天面と底面と側面とからなる形状を有し、天面に凸部を設け、底面に凹部を設けることにより、複数の椅子を安定良く積み重ねることができるという知見に基づく。本椅子は、天面１と、底面２と、天面１及び底面２を繋ぐ側面３を有している。天面１には、凸部１１が形成されており、凸部１１は、頂面が平面状であり座板として機能する。また、底面２には、凸部１１に対応した形状の凹部が形成されている。ある椅子の凹部には、他の椅子の凸部１１を勘合することができる。【選択図】図１
0003171370.tif 000002
【実用新案登録請求の範囲】
【請求項１】
天面（１）と，底面（２）と，前記天面（１）及び前記底面（２）を繋ぐ側面（３）と，を有し，
前記天面（１）には，頂面が平面状であり座版として機能する凸部（１１）が形成されており，
前記底面（２）には，前記凸部（１１）に対応した形状の凹部（２１）が形成されている
椅子。
【請求項２】
前記側面（３）は，前側面（３１），後側面（３２），右側面（３３），及び左側面（３４）からなり，
前記椅子の形状は，六面体に，前記凸部（１１）及び前記凹部（２１）が形成された形状である
請求項１に記載の椅子。
【請求項３】
前記凸部（１１）の頂面の面積は，前記天面（１）の面積の５０％以上９０％以下である
請求項１に記載の椅子。
【請求項４】
前記椅子内部の前記天面（１）及び前記底面（２）に相当する位置には，それぞれ，マグネット（４）が取り付けられており，
前記天面（１）に相当する位置に設けられたマグネット（４）及び前記底面（２）に相当する位置に設けられたマグネット（４）のうち，いずれか一方はＮ極であり，他方はＳ極である
請求項１に記載の椅子。
【請求項５】
前記椅子内部の前記右側面（３３）及び前記左側面（３４）に相当する位置には，それぞれ，マグネット（４）が取り付けられており，
前記右側面（３３）に相当する位置に設けられたマグネット（４）及び前記左側面（３４）に相当する位置に設けられたマグネット（４）のうち，いずれか一方はＮ極であり，他方はＳ極である
請求項２に記載の椅子。
【請求項６】
前記椅子内部の前記底面（２）側の位置には，重り（５）が設けられている
請求項１に記載の椅子。
【請求項７】
前記凸部（１１）の頂面は，多角形状である
請求項１に記載の椅子。
【請求項８】
天面（１）と，底面（２）と，前記天面（１）及び前記底面（２）を繋ぐ側面（３）と，を有し，
前記天面（１）には，頂面が平面状であり座版として機能する凸部（１１）が形成されており，
前記底面（２）には，前記凸部（１１）に対応した形状の凹部（２１）が形成されている
椅子（１００）を複数個含み，
ある椅子（１００）の前記凸部（１１）と，他の椅子（１００）の凹部（２１）を嵌合させて，上方向に積み上げると共に，
ある椅子（１００）の側面（３）と，さらに別の椅子（１００）の側面（３）を当接させて，横方向に並べることにより形成された
パーティション。
【請求項９】
前記天面（１）と前記底面（２）に，前記凸部（１１）と前記凹部（２１）が，１つずつ形成された短椅子（１１０）と，
前記天面（１）と前記底面（２）に，前記凸部（１１）と前記凹部（２１）が，２つずつ形成された長椅子（１２０）を，
少なくとも１つずつ含み，
前記短椅子（１１０）に形成された凸部（１１）と前記長椅子（１２０）に形成された凸部（１１）は，同じ形状であり，
前記短椅子（１１０）に形成された凹部（２１）と前記長椅子（１２０）に形成された凹部（２１）は，同じ形状である
請求項８に記載のパーティション。
【請求項１０】
前記短椅子（１１０）の前記側面（３）は，前側面（３１），後側面（３２），右側面（３３），及び左側面（３４）からなり，
前記短椅子（１１０）の形状は，正六面体に，前記凸部（１１）及び前記凹部（２１）を形成した形状であり，
前記長椅子（１２０）の形状は，前記短椅子（１１０）二つを一体的に連接した形状である
請求項９に記載のパーティション。
【考案の詳細な説明】
【技術分野】
【０００１】
本考案は，椅子に関する。具体的に説明すると，本考案は，複数の椅子を積み上げることによって，例えば空間を仕切るためのパーティションとしても機能させることができる椅子に関するものである。
【背景技術】
【０００２】
従来から，上方向にスタッキングが可能な椅子が知られている（例えば，特許文献１）従来のスタッキング可能な椅子は，椅子を収納するに際のスペースを節約することができるように，一つの椅子座板の上に，別の椅子の座板を積み上げられるような構成となっている。
【０００３】
また，従来から，椅子の形状を略方形とし，安定感と座り易さを向上させた椅子が知られている（例えば，特許文献２）。従来の方形の椅子は，一つの椅子の天面に，別の椅子を載せることができ，ある程度は，上方向に積み上げ可能となっている。
【先行技術文献】
【特許文献】
【０００４】
【特許文献１】特開２００５−１５２２１９号公報
【特許文献２】特開２００８−５８５７号公報
【考案の概要】
【考案が解決しようとする課題】
【０００５】
しかし，上記特許文献１に記載されたスタッキング可能な椅子は，椅子として使用しない場合には，押入れや倉庫に収納しておくことを前提としたものである。このため，不要な椅子を収納しておく収納スペースが必要であり，また，この椅子は不使用時に何ら役に立つものではなかった。
【０００６】
また，特許文献２に記載された方形の椅子は，椅子として使用しない場合には，複数の椅子を積み上げることにより，例えばテーブルや物置台としても使用することができる。しかしながら，椅子の天面と底面が，凹凸のない平面状に形成されているため，積み上げた際の安定性に欠けるものであった。
【０００７】
このため，現在では，例えば空間を仕切るパーティションとしても機能させることができる程度に，複数の椅子を安定良く積み重ねることができ，椅子として使用しない場合であっても有益な機能を提供することのできる椅子が求められている。
【課題を解決するための手段】
【０００８】
そこで，本考案の考案者は，上記の従来技術の問題点を解決する手段について鋭意検討した結果，椅子を，天面と底面と側面とからなる形状とし，天面に凸部を設け，底面に凹部を設けることにより，複数の椅子を安定良く積み重ねることができるという知見を得た。そして，本考案者は，上記知見に基づけば，従来技術の課題を解決できることに想到し，本考案を完成させた。
具体的に本考案は，以下の構成を有する。
【０００９】
本考案の第１の実施形態は椅子に関するものである。
本考案の椅子は，天面１と，底面２と，天面１及び底面２を繋ぐ側面３を有している。
天面１には，凸部１１が形成されており，凸部１１は，頂面が平面状であり座版として機能する。なお，座板とは，人が椅子に座る際に，人の臀部が置かれる部分である。
そして，底面２には，凸部１１に対応した形状の凹部２１が形成されている。なお，凸部１１に対応した形状とは，凹部２１に凸部１１が勘合できるものであることを意味する。
【００１０】
本考案は，このような構成を有することにより，天面１に形成された凸部１１と底面２に形成された凹部２１を嵌合させて，複数の椅子を積み上げることができる。しかも，凸部１１は，座版としても機能する程度に広い面積をもって天面１に形成されているものであるため，凸部１１と凹部２１の嵌合は非常に安定したものである。従って，本考案の椅子は，パーティションとして機能させることもできる程度に安定良く積み上げることが可能である。
【００１１】
本考案において，側面３が，前側面３１，後側面３２，右側面３３，及び左側面３４からなることが好ましい。つまり，本考案に係る椅子の形状は，六面体に，凸部１１及び凹部２１が形成された形状であることが好ましい。
【００１２】
このような構成を有することにより，前側面３１，後側面３２，右側面３３，及び左側面３４によって，天面１と底面２を支持することができる。また，椅子の形状を六面体とすることにより，上下左右に積み上げやすくなる。また，本考案の椅子は，天面１，底面２，前側面３１，後側面３２，右側面３３，及び左側面３４をすべて同一の形状と面積で形成した正六面体の形状であってもよい。また，例えば，天面１，底面２，前側面３１，及び後側面３２を同一の形状と面積で形成し，右側面３３と左側面３４を，天面１等の２倍の面積で形成した六面体であってもよい。なお，少なくとも，天面１と底面２の形状と面積は同一であることが好ましい。
【００１３】
本考案において，凸部１１の頂面の面積は，天面１の面積の５０％以上９０％以下であることが好ましい。
【００１４】
凸部１１の頂面の面積が天面１の面積の５０％以上９０％以下であれば，椅子の座り易さと，椅子を積み上げた際の安定性を確保できる。
【００１５】
本考案において，椅子内部の天面１及び底面２に相当する位置には，それぞれ，マグネット４が取り付けられており，天面１に相当する位置に設けられたマグネット４及び底面２に相当する位置に設けられたマグネット４のうち，いずれか一方はＮ極であり，他方はＳ極であることが好ましい。
【００１６】
このような構成を有することにより，椅子を積み上げた際に，天面１の凸部１１と底面２の凹部２１を嵌合したことによる摩擦力だけでなく，マグネットの磁力によっても，椅子同士が接着されるため，椅子の積み上げ時における安定性がより向上する。
【００１７】
本考案において，椅子内部の右側面３３及び左側面３４に相当する位置には，それぞれ，マグネット４が取り付けられており，右側面３３に相当する位置に設けられたマグネット４及び左側面３４に相当する位置に設けられたマグネット４のうち，いずれか一方はＮ極であり，他方はＳ極であることが好ましい。
【００１８】
このような構成を有することにより，ある椅子の右側面３３と他の椅子の左側面３４を当接させると，互いの磁力によって接着される。このため，複数の椅子を横方向に並べた際に，椅子同士が乖離しにくくなる。
【００１９】
本考案において，椅子内部の底面２側の位置には，重り５が設けられていることが好ましい。
【００２０】
このような構成を有することにより，椅子の重心が，椅子下部に位置することとなる。このため，椅子の積み上げ時における安定性が向上する。
【００２１】
本考案において，凸部１１の頂面は，多角形状であってもよい。
【００２２】
凸部１１の頂面を多角形状とすることにより，椅子を積み上げた際に，上方に位置する椅子が周方向に回転することを防止できる。このため，椅子の積み上げ時における安定性が向上する。
【００２３】
本考案の第２の実施形態は，第１の実施形態に係る椅子を複数個積み上げてなるパーティションに関するものである。
本考案のパーティションに含まれる椅子１００は，天面１と，底面２と，天面１及び底面２を繋ぐ側面３を有し，天面１には，頂面が平面状であり座版として機能する凸部１１が形成されており，底面２には，凸部１１に対応した形状の凹部２１が形成されている。
複数の上記椅子１００を積み上げる際には，天面１の凸部１１と底面２の凹部２１を嵌合させる。また，椅子１００の側面３同士を当接させて，横方向に並べられる。このようにして，複数の椅子１００により，空間を仕切るためのパーティションが形成される。
【００２４】
また，パーティションには，天面１と底面２に凸部１１と凹部２１が１つずつ形成された短椅子１１０と，天面１と底面２に凸部１１と凹部２１が２つずつ形成された長椅子１２０が，少なくとも１つずつ含まれることが好ましい。ここで，短椅子１１０に形成された凸部１１と長椅子１２０に形成された凸部１１の形状，及び短椅子１１０に形成された凹部２１と長椅子１２０に形成された凹部２１の形状は，同一である。
【００２５】
このように，短椅子１１０と長椅子１２０を組み合わせてパーティションを形成することにより，パーティションの強度が向上する。つまり，長椅子１２０に２つの短椅子１１０を積み重ねたり，ある長椅子１２０の凸部１１の一つに他の長椅子１２０の凹部１２の一つを重ねたりすることができるため，短椅子１１０のみよって形成した場合と比較して，上下左右の連結強度を向上させることできる。
【００２６】
なお，短椅子１１０の側面３を，前側面３１，後側面３２，右側面３３，及び左側面３４から構成し，短椅子１１０の形状が正六面体に凸部１１及び凹部２１を形成した形状である場合において，長椅子１２０の形状は，上記短椅子１１０二つを一体的に連接した形状とすることとしてもよい。
【図面の簡単な説明】
【００２７】
【図１】図１は，本考案に係る椅子の実施形態を示す斜視図であり，椅子を天面方向から見た図である。
【図２】図２は，本考案に係る椅子の実施形態を示す斜視図であり，椅子を底面方向から見た図である。
【図３】図３は，本考案に係るパーティションの実施形態を示す斜視図である。
【図４】図４は，本考案に係る椅子の実施形態を示す断面図である。
【図５】図５は，本考案に係る椅子の他の実施形態を示す斜視図であり，椅子を天面方向から見た図である。
【図６】図６は，本考案に係るパーティションの他の実施形態を示す斜視図である。
【図７】図７は，本考案に係る椅子の他の実施形態を示す斜視図であり，椅子を天面方向からみた図である。
【図８】図８は，本考案に係る椅子の他の実施形態を示す斜視図であり，椅子を天面方向から見た図である。
【考案を実施するための形態】
【００２８】
以下，図面を用いて本考案を実施するための形態について説明する。本考案は，以下に説明する形態に限定されるものではなく，以下の形態から当業者が自明な範囲で適宜修正したものも含む。
【００２９】
図１は，本考案の実施形態に係る椅子を，平面方向から見た斜視図である。また，図２は，本考案に係る椅子を，底面方向から見た斜視図である。図１や図２に示されるように，椅子１００は，基本的に，略正六面体の形状となっている。なお，図１や図２に示されるように，六面体の角部は丸くなっていてもよいし，角張ったものであってもよい。
【００３０】
図１及び図２に示されるように，椅子１００は，天面１と，天面１の反対側の面である底面２と，天面１と底面２を繋ぐ側面３から構成されている。また，側面３は，前側面３１と，前側面３１の反対側の面である後側面３２と，前側面３１と後側面３２に隣接し互いに対向しあう右側面３３及び左側面３４から構成される。
【００３１】
また，図１においては，天面１，底面２，前側面３１，後側面３２，左側面３３，及び右側面３４は，同一の面積を有する正方形となっている。これにより，椅子のスタッキング性が向上するため好ましい。
【００３２】
また，図１に示されるように，天面１の中央部には，凸部１１が形成されている。図１に示される凸部１１は，円柱形状であり，頂面が平面となっている。ただし，凸部１１の形状は，図１に示されたものに限られない。例えば，凸部は，円柱状のものに限られず，円錐台形状のものであってもよい。また，凸部１１は，椅子として使用される際に，人の臀部が置かれるため，座り心地を良くするための工夫を施すこととしてもよい。例えば，凸部１１の頂面の面積は，天面１の面積の３０％〜９０％であることが好ましく，５０％〜９０％であることが特に好ましい。また，例えば，凸部１１はクッション性を持たせるために，凸部１１をクッション材により形成してもよい。クッション材としては，スポンジやウレタン，ゴム，綿，その他公知のクッション性を有する素材を採用することができる。
【００３３】
一方，図２に示されるように，底面２の中央部には，凹部１１が形成されている。底面２に形成された凹部２１には，天面１に形成された凸部１１が嵌合できるようになっている。このため，凸部１１と凹部２１は，少なくとも，形状と面積が一致している。また，凹部２１の深さは，少なくとも凸部１１の高さより大きいものであれば良い。
【００３４】
椅子１００を形成する素材としては，例えばＰＥ（ポリエチレン）やＰＰ（ポリプロピレン），ＰＥＴ（ポリエチレンテレフタレート），又はこれらを複合したプラスチック製であってもよいし，プラスチック製の椅子本体にフェルトや布を貼り合わせたものであってもよい。また，椅子１００の内部は中実構造であってもよいし，中空構造であってもよい。椅子１００を中実構造とする場合は，例えば発泡スチロールで内部を満たすことにより，椅子の軽量化を図りつつ，積み上げ強度を向上させることができる。
【００３５】
図３は，椅子１００を複数積み上げて，パーティションとして使用した状態の例を示している。図３に示されるように，ある椅子の天面１に形成された凸部１１と，別の椅子の底面２に形成された凹部１２に嵌合させることにより，複数の椅子を上方向に積み上げることができる。また，ある椅子の側面３と別の椅子の側面３を当接させて，椅子を横方向に並べることもできる。通常の部屋であれば，５〜６個程度の椅子を上方向に積み上げることにより，天井までの高さを有するパーティションを形成することが可能である。本実施形態に係る椅子は，積み上げた際の安定性が非常に高いものであるため，５〜６個程度であれば，容易に積み上げることが可能である。
【００３６】
図４は，椅子１００の断面図である。図４では，考案の好ましい実施形態の断面図を示している。図４（ａ）は，椅子１００の内部であって，天面１及び底面２に相当する位置にマグネット４が取り付けられた状態を示している。天面１及び底面２に取り付けられたマグネット４のうち，いずれか一方はＳ極の磁場を発生させ，他方はＮ極の磁場を発生させる。このため，椅子を積み上げた際に，天面１に設けられたマグネット４と，底面２に設けられたマグネット４とが引き合い，椅子同士の接着強度が増す。
【００３７】
図４（ｂ）は，椅子１００の内部であって，右側面３３及び左側面３４にそうとする位置にマグネット４が取り付けられた状態を示している。また，右側面３３及び左側面３４に取り付けられたマグネット４のうち，いずれか一方はＳ極の磁場を発生させ，他方はＮ極の磁場を発生させる。このため，ある椅子の右側面３３と，別の椅子の左側面３４を当接させれば，マグネット４同士が引き合い，隣接する椅子が乖離しにくくため，積み上げられた椅子の安定性が向上する。
【００３８】
また，図示は省略するが，椅子１００内部の前側面３１及び後側面３２に，極性の異なるマグネット４を取付けることとしてもよい。さらに，右側面３３と左側面３４に極性の異なるマグネット４を取り付け，かつ，前側面３１と後側面３２に極性の異なるマグネット４を取付けることとしてもよい。さらに，天面１，底面２，前側面３１，後側面３２，右側面３３，及び左側面３４のそれぞれに，対向する面とは異なる極性のマグネット４を取付けることとしてもよい。
【００３９】
また，マグネット４の代わりに，鉄等の磁性体を用いることとしてもよい。例えば，天面１にマグネット４を取付，底面２に鉄板を取り付けることにより，上記した効果と同様の効果を得ることができる。
【００４０】
図４（ｃ）は，椅子の重心を下部に置き椅子を安定させるために，椅子１００の内部であって，底面２寄りの位置に，重り５を配設した状態の例を示している。重り５としては，例えば，椅子内部の底面２に相当する位置に，鉄や銅のような金属の板を取付けることとすればよい。その他，公知の重り手段を採用することもできる。
【００４１】
図５は，本考案に係る椅子の他の実施形態を示した斜視図である。図５に示す実施形態の椅子は，二人掛けの長椅子２００である。図３に示される長椅子２００は，基本構成が６面体となっており，天面１，底面２，前側面３１，後側面３２，右側面３３，及び左側面３４を有している。また，天面１に２つの凸部１１が形成されており，天面１と反対側の底面２には，凸部１１の形状に対応した２つの凹部２１が形成されている。なお，底面２に形成された凹部２１は，天面１からの斜視図では通常視認されないが，図５においては破線を用いて図示している。図１に示される実施形態においては，右側面３３及び左側面３４が同一面積の略正方形となっている。一方，天面１，底面２，右側面３３，及び左側面３４は，右側面３３（左側面３４）を２つ繋げてなる長方形であり，その面積が右側面３３（左側面３４）を形成する矩形の約２倍となっている。このように，本考案は，図１から図４に示した略正方形の６面体からなる短椅子１００を，一体的に２つ連接してなる長椅子２００であってもよい。また，図示は省略するが，本考案は，短椅子１００を，一体的に３つ連接することにより形成した３人掛けの長椅子であってもよいし，４人掛け以上の長椅子であってもよい。
【００４２】
図６は，短椅子１００と長椅子２００を組み合わせて形成されたパーティションの例を示す斜視図である。ここでは，短椅子１００とは一人掛けの椅子を意味し，長椅子２００とは二人掛けの椅子を意味する。図６に示すように，短椅子１００と長椅子２００の組み合わせることによってもパーティションを形成することが可能である。短椅子１００と長椅子２００を組み合わせることにより，パーティションの横方向の連結強度を向上させることができる。特に，椅子を積み上げるに際し，ある長椅子２００には，短椅子１００又は長椅子２００を２つ勘合させることが好ましい。さらに，ある長椅子２００の天面１に形成された凸部１１のうちの一つには，他の長椅子２００の底面２に形成された凹部２１のうちの一つを勘合させることが好ましい。例えば，ある長椅子２００の凸部１１の一方に，他の長椅子２００の凹部の一つを勘合させ，ある長椅子２００の凸部１１の他方に，さらに別の長椅子２００の凹部の一つを勘合させることが好ましい。
【００４３】
図７は，本考案に係る椅子の他の実施形態を示した斜視図である。図７（ａ）に示された椅子１００は，天面１に形成された凸部１１の頂面が多角形状であり，凸部１１は多角柱である。また，図示は省略するが，凸部１１の形状は，多角錐台であってもよい。具体的に説明すると，図７（ａ）においては，天面１に形成された凸部１１の頂面が星型１０角形となっており，底面２に形成された凹部２１は，凸部１１に対応した形状となっている。なお，底面２に形成された凹部２１は，天面１からの斜視図では通常視認されないが，図７においては破線を用いて図示している。このように，凸部１１及び凹部２１を多角形状とすることにより，椅子１００を積み上げた際に，上に積み上げられた椅子が回転することを防止できる。多角形状の例は，星型１０角形に限定されず，例えば，４角形，５角形，６角形，７角形，又は８角形であっても良い。ただし，多角形という用語には，円形は含まれない。
【００４４】
図７（ｂ）では，さらに別の実施形態が示されている。図７（ｂ）に示されるように，椅子１００は，基本形状が，円柱状となっている。すなわち，円形の天面１と，円形の底面２と，天面１と底面２を繋ぐ周側面である側面３を有し，天面１に凸部１１が形成され，底面２に凹部２１が形成されている。このように，椅子１００は，四角柱状のものに限られず，円柱状に形成することとしてもよい。
【００４５】
図８は，本考案に係る椅子の他の実施形態を示した斜視図である。図８（ａ）に示されるように，椅子１００の前側面３１と後側面３２が正６角形となっている。また，椅子１００の天面１は，正６角形の前側面３１と後側面３２の一辺を繋ぐ４角形（正４角形に限られない）である。同様に，椅子１００の底面２は，天面１が繋ぐ一辺とは対向する一辺を繋ぐ４角形である。天面１には凸部１１が形成され，底面２には凹部２１が形成される。なお，底面２に形成された凹部２１は，天面１からの斜視図では通常視認されないが，図８においては破線を用いて図示している。また，天面１と底面２を繋ぐ右側面３３と左側面３４は，それぞれ，右側面上部３３ａ，右側面下部３３ｂ，左側面上部３４ａ，及び左側面下部３４ｂに分割されている。右側面上部３３ａ，右側面下部３３ｂ，左側面上部３４ａ，及び左側面下部３４ｂは，それぞれ，正６角形の前側面３１と後側面３２の一辺を繋ぐ４角形である。図７に示されるように，左側面上部３４ａと右側面下部３３ｂは互いに対向し，左側面下部３４ｂと右側面上部３３ａは互いに対向する。
【００４６】
図８（ｂ）は，図８（ａ）に示された椅子１００を複数積み上げてパーティションを形成した状態の例を示している。図８（ｂ）に示されるように，天面１の凸部１１と底面２の凹部１２を嵌合させることにより，複数の椅子１００を上方向に積み上げることができる。また，ある椅子の左側面上部３４ａと他の椅子の右側面下部３３ｂを当接させ，ある椅子の左側面下部３４ｂとさらに別の椅子の右側面上部３３ａを当接させるようにすることで，複数の椅子を横方向に並べることができる。このようにして複数の椅子１００を上下左右に連接させることによりパーティションを形成することができる。図８（ｂ）に示されたパーティションは，椅子１００を前側面３１又は後側面３２方向から見ると，ハニカム構造となっている。
【産業上の利用可能性】
【００４７】
本考案は，椅子やパーティションとして利用することができる。このため，本考案は，家財の属する産業において好適に利用し得る。
【符号の説明】
【００４８】
１      天面
２      底面
３      側面
４      マグネット
５      重り
１１    凸部
２１    凹部
３１    前側面
３２    後側面
３３    右側面
３４    左側面
１００  短椅子
２００  長椅子
【図１】
0003171370.tif 000003
【図２】
0003171370.tif 000004
【図３】
0003171370.tif 000005
【図４】
0003171370.tif 000006
【図５】
0003171370.tif 000007
【図６】
0003171370.tif 000008
【図７】
0003171370.tif 000009
【図８】
0003171370.tif 000010